(57)【要約】【課題】複写機のように画像読み取り機能および画像出力機能を備えた画像処理装置において、リポジトリコピーに対応する場合であっても、ユーザーによる操作が煩雑化しないようにする。【解決手段】文書データと文書ＩＤとを互いに関連付けて記憶蓄積する蓄積手段１１またはこれに接続する接続手段１２の少なくとも一方と、前記文書ＩＤが埋め込まれた原稿から画像データを読み取る複数の画像入力手段１４，１６と、これら複数の画像入力手段１４，１６で読み取られた画像データ、または当該画像データに含まれる文書ＩＤに基づいて前記蓄積手段１１から取り出された文書データ若しくは前記接続手段１２を介して受け取った文書データのいずれかを出力するとともに、どの画像入力手段１４，１６で画像データが読み取られたかによって出力内容を相違させる画像出力手段１８と、を備えて画像処理装置１０を構成する。【選択図】図１
2006092066.tif 000002
【特許請求の範囲】
【請求項１】
文書データと当該文書データの識別情報である文書ＩＤとを互いに関連付けて記憶蓄積する蓄積手段または当該蓄積手段に接続するための接続手段の少なくとも一方と、
前記文書ＩＤまたはその構成情報が埋め込まれた原稿から画像データを読み取る複数の画像入力手段と、
前記複数の画像入力手段で読み取られた画像データ、または当該画像データに含まれる文書ＩＤに関するデータ部分に基づいて前記蓄積手段から取り出された文書データ若しくは前記接続手段を介して受け取った文書データのいずれかを出力するとともに、前記複数の画像入力手段の中のどの画像入力手段で画像データが読み取られたかによって出力内容を相違させる画像出力手段と
を備えることを特徴とする画像処理装置。
【請求項２】
文書データと当該文書データの識別情報である文書ＩＤとを互いに関連付けて記憶蓄積する蓄積手段または当該蓄積手段に接続するための接続手段の少なくとも一方と、
前記文書ＩＤが指定されると、当該文書ＩＤに関連する文書データを、前記蓄積手段内から取り出して、または前記接続手段を介して受け取って、取得する検索手段と、
原稿から画像データを読み取る第１の画像入力手段と、
前記原稿から当該原稿に埋め込まれている文書ＩＤを読み取る第２の画像入力手段と、
前記第１の画像入力手段が画像データを読み取ると当該画像データを出力し、前記第２の画像入力手段が文書ＩＤを読み取ると当該文書ＩＤに基づいて前記検索手段が取得した文書データを出力する画像出力手段と
を備えることを特徴とする画像処理装置。
【請求項３】
文書データと当該文書データの識別情報である文書ＩＤとを互いに関連付けて記憶蓄積する蓄積手段または当該蓄積手段に接続するための接続手段の少なくとも一方と、
原稿から当該原稿に埋め込まれている文書ＩＤの構成情報を読み取るとともに当該構成情報に識別子を付与して前記文書ＩＤとする複数の画像入力手段と、
前記画像入力手段で得られる文書ＩＤに関連する文書データを、前記蓄積手段内から取り出して、または前記接続手段を介して受け取って、取得する検索手段と、
前記検索手段が取得した文書データを出力する画像出力手段とを備え、
前記複数の画像入力手段は、それぞれが異なる識別子を付与するように構成されている
ことを特徴とする画像処理装置。
【発明の詳細な説明】
【技術分野】
【０００１】
本発明は、例えばデジタル複写機のような画像読み取り機能および画像出力機能を備えた画像処理装置に関し、特にいわゆるリポジトリコピーに対応することが可能な画像処理装置に関する。
【背景技術】
【０００２】
近年、文書の電子化が進展し、また特にオフィス等においては紙文書の蓄積スペースが不足する傾向にあることから、文書を電子化して蓄積するファイリングシステムが広く利用されつつある。ファイリングシステムとしては、例えば、オフィスで活用される紙文書の殆どが複写機でコピーされたか、あるいはプリンタ装置でプリントアウトされたものである点、すなわち一度は電子化されているという点に着目し、その電子化された際に自動的に文書データを蓄積し、その後の必要な時点で容易に検索し利用できるようにすることで、ユーザーにファイリング作業を意識させることなく文書データの保管管理を行えるようにしたものが提案されている（例えば、特許文献１参照）。このようなファイリングシステムでは、蓄積されている文書データを取り出すための検索キーとして、蓄積処理日時情報、キーワード、蓄積文書データに付されている付記情報、出力回数、ユーザー情報、処理条件等を用いることが一般的である。
【０００３】
また、このようなファイリングシステムと同様のファイリング機能を組み込んだ複写機も提案されている。すなわち、一般的な複写機は原稿に描かれた画像を複写して出力するが、ファイリング機能を組み込んだ複写機では、オリジナル原稿データを記憶蓄積しておき、そのオリジナル原稿を探し出すための情報が記載された（埋め込まれた）原稿をスキャンして、その情報をスキャンデータから抽出すると、その情報に基づいてオリジナル原稿データを検索して取り出し、可視画像として出力するようになっている（例えば、特許文献２参照）。このように、ファイリング機能を実現する蓄積手段（リポジトリ）からデータを取り出して出力することを、一般的なコピー（ノーマルコピー）動作と区別すべく、本明細書では、以下「リポジトリコピー」と称する。
【０００４】
リポジトリコピーを行う複写機では、ユーザーが、ノーマルコピーの同様の感覚で文書の出力を得ることができる。しかも、出力される文書は、オリジナル原稿データに基づくものなので、原稿上の汚れや不要な書き込み等が存在しない、奇麗でオリジナルのままのものとなる。したがって、リポジトリコピーを行う複写機は、ユーザーにとって非常に利便性の高いものであると言える。なお、リポジトリコピーでは、原稿上に描かれた画像と同一の画像をそのオリジナル原稿データに基づいて出力することが考えられるが、原稿上の画像と出力画像とは必ずしも同一のものでなくともよい。例えば、パーソナルコンピュータのブラウザソフトウエアで機能するハイパーリンクのように、原稿上に埋め込まれた情報に関連する他の文書（原稿上に表された内容とは異なる文書）を蓄積手段（リポジトリ）から取り出して出力することも考えられ、その場合であってもユーザーにとっては非常に利便性の高いものとなる。
【０００５】
【特許文献１】特開平１１−１９６２４７号公報
【特許文献２】特許第３１７５３６４号明細書
【発明の開示】
【発明が解決しようとする課題】
【０００６】
ところで、複写機を利用するユーザーは、必ずしもリポジトリコピーを望むとは限らない。例えば、リポジトリコピーが原稿上に描かれた画像と同一の画像をそのオリジナル原稿データに基づいて出力するものである場合において、複写したい原稿に押印や重要な書き込み等があると、リポジトリコピーだとその押印や書き込み等が出力されなくなってしまう。したがって、複写機は、リポジトリコピーとノーマルコピーとの両方に対応し得ることが望ましい。
【０００７】
しかしながら、リポジトリコピーとノーマルコピーとの両方に対応する場合には、ユーザーによる操作が煩雑なものとなってしまうことが考えられる。これは、複写機を動作スタートさせるための操作の他に、リポジトリコピーとノーマルコピーとのどちらを行うか切り替えるための操作、すなわちモード設定のための操作が必要になってしまうからである。このような操作は、通常、ユーザーが複写機における操作パネル（ユーザーインタフェース）を用いて行うが、その煩雑ゆえに、操作ミスを招く要因ともなり得るため、極力避けるべきである。
【０００８】
また、リポジトリコピーを行う場合には、原稿上に埋め込まれた情報に関連する文書が複数存在することも考えられる。例えば、埋め込み情報に対して、詳細内容の文書と概略文書とが存在するといった具合である。このような場合においても、どの文書を選択出力するかのモード設定操作が必要になってしまうことは、上述した場合と全く同様である。
【０００９】
そこで、本発明は、複写機のように画像読み取り機能および画像出力機能を備えた画像処理装置において、リポジトリコピーに対応する場合であっても、ユーザーによる操作が煩雑化しないようにすることを目的とする。
【課題を解決するための手段】
【００１０】
本発明は、上記目的を達成するために案出された画像処理装置で、文書データと当該文書データの識別情報である文書ＩＤとを互いに関連付けて記憶蓄積する蓄積手段または当該蓄積手段に接続するための接続手段の少なくとも一方と、前記文書ＩＤまたはその構成情報が埋め込まれた原稿から画像データを読み取る複数の画像入力手段と、前記複数の画像入力手段で読み取られた画像データ、または当該画像データに含まれる文書ＩＤに関するデータ部分に基づいて前記蓄積手段から取り出された文書データ若しくは前記接続手段を介して受け取った文書データのいずれかを出力するとともに、前記複数の画像入力手段の中のどの画像入力手段で画像データが読み取られたかによって出力内容を相違させる画像出力手段とを備えることを特徴とするものである。
【００１１】
上記構成の画像処理装置によれば、どの画像入力手段が画像データを読み取るかによって、画像出力手段での出力内容が相違するようになっている。例えば、ある画像入力手段が画像データを読み取ると、その画像データがそのまま画像出力手段から出力されるノーマルコピーが行われることになるが、他の画像入力手段が画像データを読み取ると、その画像データに含まれる文書ＩＤに関するデータ部分に基づいて得られる文書データ、すなわち当該文書ＩＤに関連する文書データを画像出力手段が出力するというリポジトリコピーが行われることになる。また、例えば、リポジトリコピーを行う場合に、一つの文書ＩＤに関連する文書データが複数存在していても、どの画像入力手段が画像データを読み取るかによって出力される文書データを相違させるといったことも行い得る。したがって、出力内容選択等のための操作を必要とすることがないので、ユーザーによる操作が煩雑化するのを抑制し得るようになる。
【００１２】
また、本発明は、上記目的を達成するために案出された画像処理装置で、文書データと当該文書データの識別情報である文書ＩＤとを互いに関連付けて記憶蓄積する蓄積手段または当該蓄積手段に接続するための接続手段の少なくとも一方と、前記文書ＩＤが指定されると、当該文書ＩＤに関連する文書データを、前記蓄積手段内から取り出して、または前記接続手段を介して受け取って、取得する検索手段と、原稿から画像データを読み取る第１の画像入力手段と、前記原稿から当該原稿に埋め込まれている文書ＩＤを読み取る第２の画像入力手段と、前記第１の画像入力手段が画像データを読み取ると当該画像データを出力し、前記第２の画像入力手段が文書ＩＤを読み取ると当該文書ＩＤに基づいて前記検索手段が取得した文書データを出力する画像出力手段とを備えることを特徴とするものである。
【００１３】
上記構成の画像処理装置によれば、第１の画像入力手段と第２の画像入力手段とを備えており、第１の画像入力手段が画像データを読み取ると、その画像データがそのまま画像出力手段から出力されるノーマルコピーが行われることになるが、第２の画像入力手段が原稿に埋め込まれている文書ＩＤを読み取った場合には、検索手段がその文書ＩＤに基づいて取得した文書データを画像出力手段が出力するというリポジトリコピーが行われることになる。したがって、ノーマルコピーの場合には第１の画像入力手段を用い、リポジトリコピーの場合には第２の画像入力手段を用いればよいため、リポジトリコピーとノーマルコピーとの両方に対応可能であっても、モード設定等のための操作を必要とすることがない。つまり、リポジトリコピーに対応する場合であっても、ユーザーによる操作が煩雑化するのを抑制し得るようになる。
【００１４】
また、本発明は、上記目的を達成するために案出された画像処理装置で、文書データと当該文書データの識別情報である文書ＩＤとを互いに関連付けて記憶蓄積する蓄積手段または当該蓄積手段に接続するための接続手段の少なくとも一方と、原稿から当該原稿に埋め込まれている文書ＩＤの構成情報を読み取るとともに当該構成情報に識別子を付与して前記文書ＩＤとする複数の画像入力手段と、前記画像入力手段で得られる文書ＩＤに関連する文書データを、前記蓄積手段内から取り出して、または前記接続手段を介して受け取って、取得する検索手段と、前記検索手段が取得した文書データを出力する画像出力手段とを備え、前記複数の画像入力手段は、それぞれが異なる識別子を付与するように構成されていることを特徴とするものである。
【００１５】
上記構成の画像処理装置によれば、複数の画像入力手段を備えており、それぞれが原稿から読み取った文書ＩＤの構成情報に対して異なる識別子を付与するので、各画像入力手段が同一の構成情報を読み取っても、どの画像入力手段が読み取ったかによって異なる文書ＩＤが特定されることになる。したがって、リポジトリコピーを行う場合に、例えば原稿上に埋め込まれた文書ＩＤの構成情報に関連する文書データが複数存在していても、その原稿についての情報読み取りをどの画像入力手段で行ったかによって出力される文書データを相違させるといったことが可能となるので、文書選択のモード設定等のための操作を必要とすることがない。つまり、リポジトリコピーに対応する場合であっても、ユーザーによる操作が煩雑化するのを抑制し得るようになる。
【発明の効果】
【００１６】
以上のように、本発明の画像処理装置では、リポジトリコピーに対応する場合であっても、ユーザーによる操作が煩雑化してしまうのを抑制し得る。したがって、ユーザーにとっては、非常に利便性の高いものとなるのに加えて、ユーザーによる操作ミス等が発生するのも極力回避することができる。
【発明を実施するための最良の形態】
【００１７】
以下、図面に基づき本発明に係る画像処理装置について説明する。なお、本実施形態では、本発明をデジタル複写機に適用した場合、すなわち画像処理装置がデジタル複写機である場合を例に挙げて説明する。
【００１８】
〔第１の実施の形態〕
先ず、本発明の第１実施形態を説明する。図１は、本発明をデジタル複合機に適用した場合の概略構成例を示す機能ブロック図である。
【００１９】
図例のように、ここで説明するデジタル複写機１０は、文書管理サーバ部１１と、通信部１２と、コントロールパネル部１３と、読み取り部１４と、画像処理部１５と、ハンディスキャナ部１６と、制御部１７と、画像形成部１８と、を備えている。
【００２０】
文書管理サーバ部１１は、ファイリング機能を実現するために、ハードディスクドライブやＤＶＤ−ＲＡＭ（Digital Video Disc-Random Access Memory）ドライブ等の大容量記憶装置からなるもので、文書データと文書ＩＤとを互いに関連付けて記憶蓄積するものである。「文書データ」とは、電子データで表現された文章、音楽、映像、データベース、またはこれらを組み合わせたデータの集合のことをいう。また、「文書ＩＤ」とは、文書管理サーバ部１１内の文書データを一意に特定するための識別情報であり、文書データ毎に重複しないユニークな値からなる情報のことをいう。これら文書データと文書ＩＤとの関連付けは、例えばテーブル形式を用いて行うことが考えられる。つまり、文書管理サーバ部１１は、本発明における蓄積手段として機能するものである。
【００２１】
通信部１２は、いわゆるインターネット等の広域ネットワークまたはローカルエリアネットワーク（ＬＡＮ）と接続するインタフェースからなるものであり、そのネットワーク上に存在する他装置（パーソナルコンピュータやデジタル複写機等）における文書管理サーバ部との間で、文書データや各種情報等のやり取りを行うためのものである。つまり、通信部１２は、本発明における接続手段として機能するものである。
なお、文書管理サーバ部１１および通信部１２は、必ずしも両方を備えている必要はない。これらの少なくとも一方を備えていれば、文書管理サーバ部１１内から取り出すか、または通信部１２を介して受け取ることによって、文書データを取得することが可能になるからである。
【００２２】
コントロールパネル部１３は、ユーザーが操作するためのもので、スタートボタンを始めとする複数の操作ボタン（スイッチ）と、ユーザーに対する情報表示を行う表示画面とを備えた操作パネルからなるものである。
【００２３】
読み取り部１４は、いわゆる固定型スキャナ装置からなるもので、原稿に対する光学的画像読み取りを行って画像データを得るものである。さらに詳しくは、原稿が載置されるプラテンガラスを有しており、そのプラテンガラス上に載置された原稿から画像データを読み取るものである。つまり、読み取り部１４は、本発明における第１の画像入力手段として機能するものである。
【００２４】
画像処理部１５は、読み取り部１４で読み取られた画像データに対して、色補正、シャープネス補正、拡大縮小処理等といった、所定画像処理を行うものである。
【００２５】
ハンディスキャナ部１６は、読み取り部１４と同様に原稿に対する光学的読み取りを行うものであるが、読み取り部１４とは異なり所定範囲内でユーザーが持って移動させることが可能な可搬型ハンディスキャナ装置からなるものである。そして、ハンディスキャナ部１６では、原稿から当該原稿に埋め込まれている文書ＩＤを読み取るようになっている。つまり、ハンディスキャナ部１６は、本発明における第２の画像入力手段として機能するものである。
【００２６】
ここで、原稿上における文書ＩＤの埋め込みについて簡単に説明する。読み取り対象となる原稿には、情報埋込領域が設けられており、その情報埋込領域に当該原稿に関連する文書データについての文書ＩＤが埋め込まれている。関連する文書データは、当該原稿上に表されたものと同一であってもよいし、異なるものであってもよい。情報埋込領域への文書ＩＤの情報埋め込みは、一次元バーコードを用いて行ったり、あるいは二次元バーコードを用いて行ったりすることが考えられる。二次元バーコードとしては、ＱＲ（Quick Response）コード（登録商標）、ＰＤＦ４１７、マキシコード（Maxi Code）、データ・マトリクス（Data Matrix）ベリコード（登録商標）等にて規定されるものが挙げられる。ただし、一次元または二次元バーコードではなく、他の手法（例えば、i-Ｔｏｎｅ（登録商標））によって埋め込みが行われたものであってもよい。
【００２７】
制御部１７は、デジタル複写機１０を構成する各部１１〜１６，１８に対する動作制御を行うものである。この動作制御には、ハンディスキャナ部１６が読み取った文書ＩＤの解析およびその特定、特定される文書ＩＤを検索キーとした文書管理サーバ部１１内からの文書データの検索および取り出し、または通信部１２を介した文書データの受け取り等が含まれるものとする。このことから、制御部１７では、ハンディスキャナ部１６が文書ＩＤを読み取ると、その文書ＩＤに関連する文書データ、すなわちその文書ＩＤと関連付けられて文書管理サーバ部１１に記憶蓄積されている文書データを、その文書管理サーバ部１１内から取り出して、または通信部１２を介して受け取って、取得するようになっている。つまり、制御部１７は、本発明における検索手段として機能するものである。
【００２８】
画像形成部１８は、読み取り部１４が原稿から読み取って画像処理部１５が処理した後の画像データ、または制御部１７が取得した文書データを、所定の形式で出力するものである。そのために、画像形成部１８は、例えばプリンタエンジンとその制御手段によって実現される。つまり、画像形成部１８は、本発明における画像出力手段として機能するものである。
【００２９】
なお、上述した各手段１１〜１８のうち、画像処理部１５および制御部１７については、例えば、所定プログラムを実行するＣＰＵ（Central Processing Unit）、その所定プログラムを格納するためのＲＯＭ（Read Only Memory）およびＣＰＵのワークエリアとして用いられるＲＡＭ（Random Access Memory）等の組み合わせによって実現すればよい。すなわち、これらの各手段１５，１７は、コンピュータとしての機能が所定プログラムを実行することによって実現することが考えられる。ただし、その場合に、所定プログラムは、予めコンピュータ内にインストールされておらずに、コンピュータ読み取り可能な記憶媒体に格納されて提供されるものであっても、または有線若しくは無線による通信手段を介して配信されるものであってもよい。
【００３０】
次に、以上のように構成されたデジタル複写機１０における処理動作例について説明する。図２は本発明の第１実施形態における処理動作例を示すフローチャートであり、図３はその処理動作例の概要を模式的に示す説明図である。
【００３１】
デジタル複写機１０の処理動作にあたっては、その前提として、既に文書管理サーバ部１１内には、必要となる文書データが記憶蓄積されているものとする。その文書データの記憶蓄積処理や、その文書データについての文書ＩＤの決定および登録処理等については、従来と同様に、公知技術を利用して行えばよい。例えば、文書ＩＤについては様々な公知技術を利用して決定することが可能であるが、その一例として文書データのハッシュ値を用いることが考えられる。ハッシュ値とは、与えられたデータから固定長の擬似乱数を生成して得られる値で、ハッシュ関数（一方向要約関数）により生成されるものである。また、その他にも、例えば、文書データを文書管理サーバ部１１内に登録する際に、予め定められた値群の中から、文書管理サーバ部１１内で使われていない文書ＩＤの値を探してそれを文書ＩＤとして付与したり、あるいは文書管理サーバ部１１内に蓄積された順番に文書ＩＤを割り当てたりすることも考えられる。
【００３２】
本発明の第１実施形態におけるデジタル複写機１０が行う処理動作には、図２（ａ）に示すようなプラテンスキャンモードの場合と、図２（ｂ）に示すようなハンディスキャンモードの場合とがある。
【００３３】
先ず、プラテンスキャンモードの場合について説明する。図２（ａ）に示すように、プラテンスキャンモードの場合、ユーザーが原稿を読み取り部１４におけるプラテンガラス上にセットして、コントロールパネル部１３におけるスタートボタンを押下すると（ステップ１０１、以下ステップを「Ｓ」と略す）、その読み取り部１４は、プラテンガラス上に載置された原稿に対するスキャン（走査）を行って、その原稿から画像データを読み取る（Ｓ１０２）。そして、読み取り部１４が画像データを読み取ると、画像処理部１５は、その画像データに対して、コントロールパネル部１３で入力された処理条件や所定の設定事項等に従いつつ、画像処理を行う（Ｓ１０３）。その後、画像形成部１８は、読み取り部１４が原稿から読み取って画像処理部１５が処理した後の画像データを、コントロールパネル部１３から指定された出力部数だけ、記録紙上に可視画像として印刷出力する（Ｓ１０４）。このように、プラテンスキャンモードでは、読み取り部１４が画像データを読み取ると、画像形成部１８がその画像データについての画像出力を行い、これにより画像形成部１８からは原稿上に描かれている画像の複製物が出力されることになる（Ｓ１０５）。
【００３４】
続いて、ハンディスキャンモードの場合について説明する。図２（ｂ）に示すように、ハンディスキャンモードの場合、ユーザーがハンディスキャナ部１６を原稿位置（ハンディスキャナ部１６が届く箇所なら任意位置で可）まで移動させて、その状態でコントロールパネル部１３におけるスタートボタンを押下すると（Ｓ２０１）、そのハンディスキャナ部１６は、原稿の情報埋込領域に対するスキャン（走査）を行って、その情報埋込領から文書ＩＤについての画像データを読み取る（Ｓ２０２）。ハンディスキャナ部１６が文書ＩＤについての画像データを読み取ると、制御部１７は、その画像データについての解析（デコード）を行って、埋め込まれている文書ＩＤの抽出および特定を行う（Ｓ２０３）。そして、さらに、制御部１７は、特定した文書ＩＤを検索キーとして、その文書ＩＤに関連する文書データ、すなわちその文書ＩＤと関連付けられて文書管理サーバ部１１に記憶蓄積されている文書データを検索し、その検索結果である関連文書データの送付を文書管理サーバ部１１に対して要求する（Ｓ２０４）。この要求に応じて文書管理サーバ部１１から関連文書データが送付されると（Ｓ２０５）、制御部１７がその関連文書データを受け取るとともに、画像形成部１８がその関連文書データを、コントロールパネル部１３から指定された出力部数だけ、記録紙上に可視画像として印刷出力する（Ｓ２０６）。このように、ハンディスキャンモードでは、ハンディスキャナ部１６が文書ＩＤについての画像データを読み取ると、その文書ＩＤに基づいて制御部１７が取得した文書データを、画像形成部１８が画像出力する。これにより、画像形成部１８からは、原稿上に埋め込まれた文書ＩＤによって特定される、当該原稿に関連する文書が出力されることになる（Ｓ２０７）。
【００３５】
つまり、第１実施形態におけるデジタル複写機１０では、図３に示すように、読み取り部１４とハンディスキャナ部１６とを備えており、読み取り部１４が原稿から画像データを読み取ると（Ｓ３０１）、その画像データがそのまま画像形成部１８から出力されるノーマルコピーが行われることになるが（Ｓ３０２）、ハンディスキャナ部１６が原稿に埋め込まれている文書ＩＤを読み取った場合には（Ｓ３０３）、制御部１７がその文書ＩＤに基づいて取得した関連文書データを画像形成部１８が出力するというリポジトリコピーが行われることになる（Ｓ３０４）。したがって、読み取り部１４を用いればプラテンスキャンモードの処理動作によってノーマルコピーが行われることになり、ハンディスキャナ部１６を用いればハンディスキャンモードの処理動作によってリポジトリコピーが行われることになるため、リポジトリコピーとノーマルコピーとの両方に対応可能であっても、ユーザーは、読み取り部１４とハンディスキャナ部１６とを使い分ければ、あとはコントロールパネル部１３におけるスタートボタンを押下するだけでよい。すなわち、プラテンスキャンモードとハンディスキャンモードとを選択するためのモード設定等の操作を必要とすることがない。
【００３６】
このように、第１実施形態におけるデジタル複写機１０では、リポジトリコピーとノーマルコピーとの両方に対応する場合であっても、ユーザーによる操作が煩雑化してしまうのを抑制することができるので、ユーザーにとっては非常に利便性の高いものとなる。さらには、操作の煩雑化を抑制し得ることから、その煩雑ゆえの操作ミス発生も極力回避し得るようになる。
【００３７】
なお、ユーザー操作をスタートボタン押下だけで済むようにするためには、そのスタートボタン押下に応じて読み取り部１４またはハンディスキャナ部１６のどちらに画像読み取り動作を行わせるかの判断が必要となるが、この判断は、例えばデジタル複写機１０における各種センサでの検知結果に基づいて制御部１７が行うようにすればよい。例えば、読み取り部１４における原稿検知センサでの検知結果に基づいて、読み取り部１４に原稿がセットされていれば、スタートボタン押下に応じて読み取り部１４を動作させ、またハンディスキャナ部１６のホームポジションセンサによる検知結果に基づいて、ハンディスキャナ部１６がホームポジションから引き出されていれば、スタートボタン押下に応じてハンディスキャナ部１６を動作させる、といった具合である。ただし、これらは、単なる一具体例に過ぎないことは勿論である。
【００３８】
〔第２の実施の形態〕
次に、本発明の第２実施形態を説明する。ただし、ここでは、上述した第１実施形態の場合との相違点についてのみ説明する。
【００３９】
第１実施形態では、プラテンスキャンモードの場合にノーマルコピーを行い、ハンディスキャンモードの場合にリポジトリコピーを行う例について説明したが、第２実施形態では、プラテンスキャンモードおよびハンディスキャンモードのいずれの場合もリポジトリコピーを行う例について説明する。
【００４０】
デジタル複写機１０の概略構成については、第１実施形態の場合と同様である（図１参照）。ただし、本発明の第２実施形態におけるデジタル複写機１０では、プラテンスキャンモードのための読み取り部１４と、ハンディスキャンモードのためのハンディスキャナ部１６とのそれぞれが、いずれも、原稿からその原稿に埋め込まれている文書ＩＤの構成情報を読み取るとともに、その構成情報に識別子を付与して文書ＩＤとするようになっている。つまり、原稿には、文書ＩＤの構成情報が埋め込まれている。そして、読み取り部１４とハンディスキャナ部１６とは、それぞれが異なる識別子を付与するようになっている。
【００４１】
文書ＩＤの「構成情報」および「識別子」は、事前に適宜決定しておけばよい。例えば、文書管理サーバ部１１が「０００１Ａ」、「０００１Ｂ」、「０００２Ａ」…といった文書ＩＤに関連付けて文書データを記憶蓄積する場合であれば、その文書データの構成情報を「０００１」、「０００２」…とし、これらのうちのいずれかを原稿に埋め込んでおき、またこのような構成情報の読み取り結果に対して、読み取り部１４では「Ａ」という識別子を付与し、ハンディスキャナ部１６では「Ｂ」という識別子を付与する、といったことが考えられる。
【００４２】
このように、第２実施形態におけるデジタル複写機１０では、読み取り部１４およびハンディスキャナ部１６といった複数の画像入力手段を備えており、それぞれが原稿から読み取った文書ＩＤの構成情報に対して異なる識別子を付与するので、読み取り部１４とハンディスキャナ部１６とのそれぞれが同一の構成情報を読み取っても、読み取り部１４とハンディスキャナ部１６とのどちらが読み取ったかによって異なる文書ＩＤが特定されることになる。したがって、リポジトリコピーを行う場合に、例えば原稿上に埋め込まれた文書ＩＤの構成情報に関連する文書データが文書管理サーバ部１１内に複数存在していても、その原稿についての情報読み取りを読み取り部１４とハンディスキャナ部１６とのどちらが行ったかによって出力される文書データを相違させるといったことが可能となる。つまり、ユーザーは、読み取り部１４とハンディスキャナ部１６とを使い分ければ、あとはコントロールパネル部１３におけるスタートボタンを押下するだけでよく、文書選択のモード設定等のための操作を必要とすることがない。
【００４３】
このように、第２実施形態におけるデジタル複写機１０では、原稿上に埋め込まれた情報に関連する文書が複数存在するときのリポジトリコピーに対応する場合であっても、ユーザーによる操作が煩雑化してしまうのを抑制することができるので、第１実施形態の場合と同様に、ユーザーにとっては非常に利便性の高いものとなる。さらには、操作の煩雑化を抑制し得ることから、その煩雑ゆえの操作ミス発生も極力回避し得るようになる。
【００４４】
なお、上述した第１実施形態および第２実施形態では、本発明について好適な実施具体例を挙げて説明したが、本発明はその内容に限定されるものではない。
例えば、第１実施形態では、プラテンスキャンモードによるノーマルコピーを行うのが読み取り部１４であり、ハンディスキャンモードによるリポジトリコピーを行うのがハンディスキャナ部１６である場合を例に挙げて説明したが、本発明はこれに限定されるものではなく、第１および第２の画像入力手段として機能するものをそれぞれ個別に備えていれば、例えばプラテンスキャンを行う読み取り部を複数備え、これらが第１および第２の画像入力手段として機能するように構成してもよい。また、第１および第２の画像入力手段についても、それぞれが複数存在していても構わない。このことは、第２実施形態についても全く同様である。
【００４５】
さらには、第１実施形態と第２実施形態とを組み合わせてデジタル複写機を構成することも考えられる。すなわち、例えば、第１実施形態で説明したように、読み取り部１４でプラテンスキャンモードによるノーマルコピーを行い、ハンディスキャナ部１６でハンディスキャンモードによるリポジトリコピーを行うように構成するとともに、そのハンディスキャナ部１６を複数備え、これら複数のハンディスキャナ部１６が、第２実施形態で説明したように、それぞれ異なる識別子に対応するように構成することも考えられる。
【００４６】
また、上述した第１実施形態および第２実施形態では、本発明に係る画像処理装置がデジタル複写機である場合を例に挙げて説明したが、リポジトリコピーに対応し、かつ、画像読み取り機能および画像出力機能を備えたものであれば、例えば、コピー機能、プリント機能、ファクシミチ機能等を統合した複合機であっても、あるいはスキャナ装置やプリンタ装置等がネットワークを介して接続されたシステムであっても、全く同様に本発明を適用することが可能である。
【図面の簡単な説明】
【００４７】
【図１】本発明をデジタル複合機に適用した場合の概略構成例を示す機能ブロック図である。
【図２】本発明の第１実施形態における処理動作例を示すフローチャートである。
【図３】本発明の第１実施形態における処理動作例の概要を模式的に示す説明図である。
【符号の説明】
【００４８】
１０…デジタル複写機、１１…文書管理サーバ部、１２…通信部、１３…コントロールパネル部、１４…読み取り部、１５…画像処理部、１６…ハンディスキャナ部、１７…制御部、１８…画像形成部
【図１】
2006092066.tif 000003
【図２】
2006092066.tif 000004
【図３】
2006092066.tif 000005